(57)【要約】【課題】適確な洗浄水の散布が可能なノズル装置を提供することを目的とする。【解決手段】本発明のノズル装置は、洗浄水１１を噴射するノズル１と、洗浄水１１をノズル１に供給する供給流路１０４とを備え、ノズル１は略球体形状で形成され、放射状に洗浄水を噴射する噴出口２を複数個有したものである。これにより、噴出口２から噴射された洗浄水が到達しにくい洗浄対象のすき間などの死角をなくし、より適確な洗浄水１１の散布が可能となり、洗浄性能、洗浄効率の向上を図ることができる。【選択図】図２
2011019898.tif 000002
【特許請求の範囲】
【請求項１】
洗浄水を噴射するノズルと、洗浄水を加圧するポンプと、洗浄水をノズルに供給する供給流路とを備え、前記ノズルは略球体形状で形成され、放射状に洗浄水を噴射する噴出口を複数個有することを特徴とするノズル装置。
【請求項２】
洗浄水を噴射するノズルと、洗浄水を加圧するポンプと、洗浄水をノズルに供給する供給流路とを備え、前記ノズルは略半球形状で形成され、放射状に洗浄水を噴射する噴出口を複数個有することを特徴とするノズル装置。
【請求項３】
洗浄水を噴射するノズルと、洗浄水を加圧するポンプと、洗浄水をノズルに供給する供給流路とを備え、前記ノズルは略円盤形状で形成され、放射状に洗浄水を噴射する噴出口を複数個有することを特徴とするノズル装置。
【請求項４】
前記ノズルは、洗浄水噴射時の噴射反力により回転することを特徴とする請求項１から３のうちいずれか１項に記載のノズル装置。
【請求項５】
前記ノズルは、接線方向に洗浄水が噴射する噴出口を１つまたは複数個有することを特徴とする請求項１から４のうちいずれか１項に記載のノズル装置。
【請求項６】
前記ノズルは、１つまたは複数個の接線方向に洗浄水が噴射する噴出口が、回転軸から最も離れた位置に配設された請求項１から５のうちいずれか１項に記載のノズル装置。
【請求項７】
前記ノズルは、複数個の接線方向に洗浄水が噴射する噴出口が、回転軸対称に配設された請求項１から６のうちいずれか１項に記載のノズル装置。
【請求項８】
前記ノズルは、請求項１から７のうちいずれか１項に記載のノズルを二つ以上設けたノズル装置。
【請求項９】
請求項１から８のうちいずれか１項に記載のノズル装置を備えた洗浄機。
【請求項１０】
請求項１から８のうちいずれか１項に記載のノズル装置を備えた食器洗い機。
【発明の詳細な説明】
【技術分野】
【０００１】
本発明は、洗浄水を噴射するノズル装置に関するものである。
【背景技術】
【０００２】
ノズル装置の応用のひとつとして、食器洗い機が知られている。ここでは、食器洗い機を例としてノズル装置の従来技術を説明する。
【０００３】
図８に従来の食器洗い機を示す。従来の食器洗い機では、給水ホース１０２から供給される水１０１をポンプ１０３が加圧し、供給流路１０４を介して、棒状のノズル１０５に供給する。
【０００４】
ノズル１０５の従来例を図９に示す。図９はノズル１０５を上方向から見たもので、４つの噴出口１１１〜１１４を備えている。第１の噴出口１１１における水１０１の噴射方向は、ノズル１０５の回転平面に対して水平方向に設定され、第２の噴出口１１２、第３の噴出口１１３、第４の噴出口１１４はノズル１０５の回転平面に対して垂直方向に設定されている。第１の噴出口１１１からの水１０１の噴射の反作用によりノズル１０５は回転し、第２の噴出口１１２、第３の噴出口１１３、第４の噴出口１１４からの水１０１の噴射により被洗浄物１０６が洗浄される。
【０００５】
したがって、ノズル１０５は回転しながら水１０１を被洗浄物１０６に噴射することができる（例えば、特許文献１参照）。
【先行技術文献】
【特許文献】
【０００６】
【特許文献１】特開２００４−６５４号公報
【発明の概要】
【発明が解決しようとする課題】
【０００７】
しかしながら、前記従来の構成では、ノズル１０５の４つの噴出口１１１〜１１４の回転軌跡は、回転中心から回転平面上での距離を半径とした完全な円となるため、ノズル１０５から噴射された水１０１は被洗浄物１０６の限られた場所にしか到達せず、被洗浄物１０６の配置の仕方によっては十分な洗浄効果が得られない、被洗浄物１０６の細かなすき間にまで水１０１が行き渡らないという課題を有していた。
【０００８】
本発明は、前記従来の課題を解決するもので、ノズルの噴出口における洗浄水の噴射方向及びノズル自体の形状を適切に組合せることで、洗浄水を洗浄対象に対して適確に散布することのできるノズル装置を提供することを目的とする。
【課題を解決するための手段】
【０００９】
前記従来の課題を解決するために、本発明のノズル装置は、洗浄水を噴射するノズルと、洗浄水をノズルに供給する供給流路とを備え、前記ノズルは、略球体形状で形成され、放射状に洗浄水を噴射する噴出口を複数個有したものである。ここで、洗浄水とは、食器などの被洗浄物の洗浄若しくはすすぎに用いられる液体を総称していう。
【００１０】
これにより、ノズル噴出口から噴射された洗浄水が到達しにくい洗浄対象のすき間などの死角をなくし、従来のノズルと比べてより適確な洗浄水の散布が可能となる。
【発明の効果】
【００１１】
本発明のノズル装置は、ノズルが回転しながら、各噴出口から同時に洗浄水を放射状もしくは接線方向に噴射するため、ノズルの形状・重さ・重心位置、噴出口の噴射角度、噴出口の数などを調整することにより、噴射された洗浄水が到達しにくい洗浄対象のすき間などの死角をなくし、従来のノズルと比べてより適確な洗浄水の散布が可能となり、洗浄性能、洗浄効率の向上を図ることができる。
【図面の簡単な説明】
【００１２】
【図１】本発明の実施の形態１及び４におけるノズル装置を含む食器洗い機の構成図
【図２】本発明の実施の形態１及び４におけるノズル装置の斜視図
【図３】本発明の実施の形態２及び５におけるノズル装置を含む食器洗い機の構成図
【図４】本発明の実施の形態２及び５におけるノズル装置の斜視図
【図５】本発明の実施の形態３及び６におけるノズル装置を含む食器洗い機の構成図
【図６】本発明の実施の形態３及び６におけるノズル装置の斜視図
【図７】本発明の実施の形態７におけるノズル装置を含む食器洗い機の構成図
【図８】従来の食器洗い機の構成図
【図９】従来のノズル装置の構成図
【発明を実施するための形態】
【００１３】
第１の発明は、洗浄水を噴射するノズルと、洗浄水を加圧するポンプと、内部を洗浄水が移動する供給流路とを備え、前記ノズルは、略球体形状で形成され、放射状に洗浄水を噴射する噴出口を複数個有することを特徴とするノズル装置とすることにより、ノズル噴出口から噴射された洗浄水が到達しにくい洗浄対象のすき間などの死角をなくし、より適確な洗浄水の散布が可能となる。
【００１４】
第２の発明は、洗浄水を噴射するノズルと、洗浄水を加圧するポンプと、内部を洗浄水が移動する供給流路とを備え、前記ノズルは、略半球形状で形成され、放射状に洗浄水を噴射する噴出口を複数個有することを特徴とするノズル装置とすることにより、ノズル噴出口から噴射された洗浄水が到達しにくい洗浄対象のすき間などの死角をなくし、より適確な洗浄水の散布が可能となる。
【００１５】
第３の発明は、洗浄水を噴射するノズルと、洗浄水を加圧するポンプと、内部を洗浄水が移動する供給流路とを備え、前記ノズルは、略円盤形状で形成され、放射状に洗浄水を噴射する噴出口を複数個有することを特徴とするノズル装置とすることにより、ノズル噴出口から噴射された洗浄水が到達しにくい洗浄対象のすき間などの死角をなくし、より適確な洗浄水の散布が可能となる。
【００１６】
第４の発明は、特に、第１から第３のうちいずれかの発明において、洗浄水噴射時の噴射反力により、ノズルが回転することで、ノズル噴出口から噴射された洗浄水が到達しにくい洗浄対象のすき間などの死角をなくし、より適確な洗浄水の散布が可能となる。
【００１７】
第５の発明は、特に、第１から第４のうちいずれかの発明において、接線方向に洗浄水が噴射する噴出口を１つまたは複数個有することで、洗浄水噴射時の噴射反力により回転モーメントが発生し、ノズルが回転することを促進することができる。
【００１８】
第６の発明は、特に、第１から第５のうちいずれかの発明において、１つまたは複数個の接線方向に洗浄水が噴射する噴出口を回転軸から最も離れた位置に配設することで、洗浄水噴射時の噴射反力により発生する回転モーメントがより大きくなり、大きな回転力を効率的に得ることができるため、ノズルの回転を更に促進することができる。
【００１９】
第７の発明は、特に、第１から第６のうちいずれかの発明において、複数個の接線方向に洗浄水が噴射する噴出口を回転軸対称に配設することで、洗浄水噴射時の噴射反力により発生する回転モーメントも回転軸対称に発生するため、回転軸周りのノズルの安定回転を促進することができる。
【００２０】
第８の発明は、特に、第１から第７のうちいずれかの発明のいずれかのノズルを複数個、配設することを特徴とするノズル装置とすることにより、ノズル噴出口から噴射された洗浄水が到達しにくい洗浄対象のすき間などの死角をなくし、より適確な洗浄水の散布が可能となる。
【００２１】
第９の発明は、特に、第１から第８のうちいずれかの発明のノズル装置を洗浄機に備えることで、ノズル噴出口から噴射された洗浄水が到達しにくい洗浄対象のすき間などの死角をなくし、より適確な洗浄水の散布が可能となり、洗浄力を向上することができる。
【００２２】
第１０の発明は、特に、第１から第８の発明のノズル装置を食器洗い機に備えることで、ノズル噴出口から噴射された洗浄水が到達しにくい洗浄対象のすき間などの死角をなくし、より適確な洗浄水の散布が可能となり、洗浄力を向上することができる。
【００２３】
第１１の発明は、特に、第１から第８の発明のノズル装置を散水機に備えることで、ノズル噴出口から噴射された洗浄水が到達しにくい散水対象のすき間などの死角をなくし、より適確な洗浄水の散布が可能となる。
【００２４】
以下、本発明の実施の形態について、図面を参照しながら説明する。なお、この実施の形態によってこの発明が限定されるものではない。
【００２５】
（実施の形態１）
図１は、本発明の実施の形態１におけるノズル装置を含む食器洗い機の構成を例示したものである。
【００２６】
図１に示すように食器洗い機は、洗浄水１１と、給水ホース１０２と、給水ホース１０２から供給される洗浄水１１を加圧するポンプ１０３と、洗浄水１１を噴射させるノズル（略球体形状）１と、ポンプ１０３で加圧された洗浄水１１をノズル（略球体形状）１に供給する供給流路１０４と、ノズル（略球体形状）１から噴射された洗浄水１１で洗浄される被洗浄物１０６と、洗浄水１１を排水させるための排水ポンプ１０８と、洗浄水１１を外部へ導く排水ホース１０９と、ポンプ１０３及び排水ポンプ１０８の動作タイミングを制御する制御回路１０７と、被洗浄物１０６やノズル（略球体形状）１やポンプ１０３や制御回路１０７や排水ポンプ１０８などを内包するボディー１１０とを備えている。
【００２７】
制御回路１０７は、ポンプ１０３及び排水ポンプ１０８の動作タイミングを適切に制御するものである。
【００２８】
図２は、本発明の実施の形態１におけるノズル装置を例示したものである。図２に示すように、供給流路１０４と、ノズル（略球体形状）１と、複数個の洗浄水１１を放射状に噴射する噴出口（放射状）２とを備えている。
【００２９】
給水ホース１０２を介してボディー１１０内部に供給された洗浄水１１は、ポンプ１０３で加圧され、供給流路１０４を介してノズル（略球体形状）１に流入する。ノズル（略球体形状）１に流入した洗浄水１１は、複数個設けられた噴出口（放射状）２から放射状に噴射され、被洗浄物１０６を洗浄したりすすいだりする工程が行われる。所定の工程を行う間、洗浄水１１は内部を循環する。そして、所定の工程が完了した後、洗浄水１１は
排水ポンプ１０８により排水ホース１０９で外部へ排出される。
【００３０】
ポンプ１０３により加圧された洗浄水１１は、ノズル（略球体形状）１の噴出口（放射状）２から放射状に噴射されるが、噴出口（放射状）２を球体に形成することで、放射状に噴射される洗浄水１１はさらに放射状に向けられることになり、従来洗浄水１１が到達しにくかった被洗浄物１０６のすき間などにまで入り込んで洗浄することができる。また、ノズル（略球体形状）１の形状・重さ・重心位置、噴出口（放射状）２の噴射角度、噴出口（放射状）２の数などを調整することにより、噴射された洗浄水１１が到達しにくい被洗浄物１０６のすき間などの死角をなくし、より適確な洗浄水１１の散布が可能となり、洗浄性能、洗浄効率の向上を図ることができる。
【００３１】
（実施の形態２）
図３は、本発明の実施の形態２におけるノズル装置を含む食器洗い機の構成を例示したものである。図４は、本発明の実施の形態２におけるノズル装置を例示したものである。以下の実施の形態では実施の形態１と同一要素については同一符号を付して説明を省略する。
【００３２】
図３、図４に示すように、ノズル装置をノズル（略半球形状）３としている。また、図４に示すように、供給流路１０４と、ノズル（略半球形状）３と、複数個の洗浄水１１を放射状に噴射する噴出口（放射状）２とを備えている。
【００３３】
これにより、ノズル（略球体形状）１よりも省スペースでノズル装置を配設できるため、被洗浄物１０６の配設スペースを増やすことが可能となる。また、噴出口（放射状）２の噴射角度、噴出口（放射状）２の数を調整することで、実施の形態１と同等の洗浄性能、洗浄効率が得られる。
【００３４】
（実施の形態３）
図５は、本発明の実施の形態３におけるノズル装置を含む食器洗い機の構成を例示したものである。図６は、本発明の実施の形態３におけるノズル装置を例示したものである。
【００３５】
図５、図６に示すように、ノズル装置をノズル（略円盤形状）４としている。また、図６に示すように、供給流路１０４と、ノズル（略円盤形状）４と、複数個の洗浄水１１を放射状に噴射する噴出口（放射状）２とを備えている。
【００３６】
これにより、ノズル（略半球形状）３よりも更に省スペースでノズル装置を配設できるため、被洗浄物１０６の配設スペースを更に増やすことが可能となる。また、噴出口（放射状）２の噴射角度、噴出口（放射状）２の数を調整することで、実施の形態１や実施の形態２と同等の洗浄性能、洗浄効率が得られる。
【００３７】
さらに、量産用の金型成形においても、ノズル（略球体形状）１やノズル（略半球形状）３よりも形状的に単純なため、作りやすくかつ成形しやすく、成形時の材料も少なくて済むので省資源である。
【００３８】
（実施の形態４）
図１は、本発明の実施の形態４におけるノズル装置を含む食器洗い機の構成を例示したものである。図２は、本発明の実施の形態４におけるノズル装置を例示したものである。
【００３９】
図２に示すように、供給流路１０４と、ノズル（略球体形状）１と、複数個の洗浄水１１を放射状に噴射する噴出口（放射状）２と、１つまたは複数個の洗浄水１１を接線方向に噴射する噴出口（接線方向）６とを備えている。
【００４０】
噴出口（接線方向）６から噴射した洗浄水１１の噴射反力により、ノズル（略球体形状）１が回転しながら、同時に放射状もしくは接線方向に洗浄水１１を噴射するため、ノズル（略球体形状）１の形状・重さ・重心位置、噴出口（放射状）２と噴出口（接線方向）６の噴射角度や数などを調整することにより、噴射された洗浄水１１が到達しにくい洗浄対象のすき間などの死角をなくし、より適確かつ密に洗浄水１１の散布が可能となり、洗浄性能、洗浄効率の向上を図ることができる。
【００４１】
また、従来例では、ノズル１０５の４つの噴出口１１１〜１１４の回転軌跡が、回転中心から回転平面上での距離を半径とした完全な円となるため、ノズル１０５から噴射された水１０１は被洗浄物１０６の限られた場所にしか到達せず、汚れを落すためには、被洗浄物１０６の配置の仕方を工夫しなければならなかったが、この実施の形態４では、より適確かつ密に洗浄水１１の散布が可能となるため、洗浄対象の置き方の工夫をしなくても十分な洗浄効果が得られる。
【００４２】
（実施の形態５）
図３は、本発明の実施の形態５におけるノズル装置を含む食器洗い機の構成を例示したものである。図４は、本発明の実施の形態５におけるノズル装置を例示したものである。
【００４３】
図３、図４に示すように、ノズル装置をノズル（略半球形状）３としている。また、図４に示すように、供給流路１０４と、ノズル（略半球形状）３と、複数個の洗浄水１１を放射状に噴射する噴出口（放射状）２と、１つまたは複数個の洗浄水１１を接線方向に噴射する噴出口（接線方向）６とを備えている。
【００４４】
これにより、ノズル（略球体形状）１よりも省スペースでノズル装置を配設できるため、被洗浄物１０６の配設スペースを増やすことが可能となる。また、噴出口（放射状）２及び噴出口（接線方向）６の噴射角度や数を調整することで、実施の形態４と同等の洗浄性能、洗浄効率が得られる。
【００４５】
（実施の形態６）
図５は、本発明の実施の形態６におけるノズル装置を含む食器洗い機の構成を例示したものである。図６は、本発明の実施の形態６におけるノズル装置を例示したものである。
【００４６】
図５、図６に示すように、ノズル装置をノズル（略円盤形状）４としている。また、図６に示すように、供給流路１０４と、ノズル（略円盤形状）４と、複数個の洗浄水１１を放射状に噴射する噴出口（放射状）２と、１つまたは複数個の洗浄水１１を接線方向に噴射する噴出口（接線方向）６とを備えている。
【００４７】
これにより、ノズル（略半球形状）３よりも更に省スペースでノズル装置を配設できるため、被洗浄物１０６の配設スペースを更に増やすことが可能となる。また、噴出口（放射状）２及び噴出口（接線方向）６の噴射角度や数を調整することで、実施の形態４や実施の形態５と同等の洗浄性能、洗浄効率が得られる。
【００４８】
さらに、量産用の金型成形においても、ノズル（略球体形状）１やノズル（略半球形状）３よりも形状的に単純なため、作りやすくかつ成形しやすく、成形時の材料も少なくて済むので省資源である。
【００４９】
なお、１つまたは複数個の洗浄水１１を接線方向に噴射する噴出口（接線方向）６を回転軸から最も離れた位置に配設することで、洗浄水１１噴射時の噴射反力により発生する回転モーメントがより大きくなり、大きな回転力を効率的に得ることができるため、ノズ
ル（略半球形状）３の回転を更に促進させ、より適確かつ密に洗浄水１１の散布が可能となり、洗浄性能、洗浄効率の向上を図ることができる。
【００５０】
また、複数個の洗浄水１１を接線方向に噴射する噴出口（接線方向）６を回転軸対称に配設することで、洗浄水１１噴射時の噴射反力により発生する回転モーメントも回転軸対称に発生するため、回転軸周りのノズルの安定回転を促進させ、より適確かつ密に洗浄水１１の散布が可能となり、洗浄性能、洗浄効率の向上を図ることができる。
【００５１】
（実施の形態７）
図７は、本発明の実施の形態７におけるノズル装置を含む食器洗い機の構成を例示したものである。図７に示すように、ノズル装置をノズル（略球体形状）１としている。また、図７に示すように、実施の形態１または４におけるノズル装置を２つ設けている。
【００５２】
これにより、噴射された洗浄水１１が到達しにくい被洗浄物１０６のすき間などの死角が実施の形態１または４よりも少なくなり、より適確な洗浄水１１の散布が可能となり、洗浄性能、洗浄効率の向上を図ることができる。
【００５３】
なお、図７では、２つのノズルを設けた例を示したが、ノズルを３つ以上設けた場合でも同様な洗浄性能、洗浄効率の向上を図ることができるものであり、ボディー１１０内部の空間の形状や被洗浄物の配置に合わせて構成すればよい。
【００５４】
さらに、図７では、ノズル装置の二つのノズルをノズル（略球体形状）１とした例を示したが、二つのノズルをノズル（略半球形状）３としても、ノズル（略円盤形状）４としても同様の効果を発揮することができる。また、二つのノズルをノズル（略球体形状）１とノズル（略半球形状）３、もしくはノズル（略球体形状）１とノズル（略円盤形状）４、もしくはノズル（略半球形状）３とノズル（略円盤形状）４を組み合わせた場合においても同様の効果を発揮することができる。
【００５５】
なお、以上説明した本発明の複数の実施の形態において、洗浄水１１は洗浄剤を含む水や単なる水道水などであるが、同等の効果を有するものであれば水以外の液体でも構わない。また、ノズル装置の材質は樹脂を基本としているが、金属などの樹脂以外の材質でも構わない。
【００５６】
さらに、複数のノズルを従来技術における棒状のノズル１０５のような水平回転する供給経路を構成し、噴出口１１１〜１１４に代えて本発明のノズルを構成してノズル全体も水平回転するように構成すれば、さらに洗浄性能、洗浄効率の向上を図ることができる。
【産業上の利用可能性】
【００５７】
以上のように、本発明にかかるノズル装置で、より適確な散布が可能となるので、園芸・農業用で、除草剤や害虫駆除剤を噴霧したり、工場・倉庫内で滅菌剤・消臭剤を噴霧したりする場合などの様々な噴霧機、自動車や半導体デバイスなど、他のものを洗浄する洗浄機、スプリンクラーやスプレー塗装機、均一な散布が必要な散水機などにも適用できる。
【符号の説明】
【００５８】
１  ノズル（略球体形状）
２  噴出口（放射状）
３  ノズル（略半球形状）
４  ノズル（略円盤形状）
６  噴出口（接線方向）
１１  洗浄水
１０１  水
１０２  給水ホース
１０３  ポンプ
１０４  供給流路
１０５  ノズル
１０６  被洗浄物
１０７  制御回路
１０８  排水ポンプ
１０９  排水ホース
１１０  ボディー
【図１】
2011019898.tif 000003
【図２】
2011019898.tif 000004
【図３】
2011019898.tif 000005
【図４】
2011019898.tif 000006
【図５】
2011019898.tif 000007
【図６】
2011019898.tif 000008
【図７】
2011019898.tif 000009
【図８】
2011019898.tif 000010
【図９】
2011019898.tif 000011